(57)【要約】【課題】  配線の単純化が可能な屋内配線システムを提供する。【解決手段】  ジョイントボックス１は、単相３線の電源線Ｃが接続される電線接続部１１と、それぞれ電線接続部１１に電気的に接続され低電圧用機器ＳＬ及び高電圧用機器ＳＨが択一的に接続される複数の分岐接続部１３とを備える。低電圧用機器ＳＬは、分岐接続部１３において単相３線の電源線Ｃのうち一方の電圧側電線Ｃ１と中性線Ｃ２とにそれぞれ電気的に接続され、高電圧用機器ＳＨは分岐接続部１３において単相３線の電源線Ｃのうち各電圧側電線Ｃ１，Ｃ３にそれぞれ電気的に接続される。低電圧用機器ＳＬと高電圧用機器ＳＨとが混在する場合にも、ジョイントボックス１並びに一方の電圧側電線Ｃ１，Ｃ３を共用とし、配線を単純化することができる。したがって、施工や維持管理や機器の増設が容易となる。【選択図】図１
2006129565.tif 000002
【特許請求の範囲】
【請求項１】
単相３線の電源線に接続されるジョイントボックスと、それぞれジョイントボックスを介して電源線に接続される低電圧用機器と高電圧用機器とを有する屋内配線システムであって、
ジョイントボックスは、単相３線の電源線が接続される電源線接続部と、それぞれ電源線接続部に電気的に接続され低電圧用機器及び高電圧用機器が択一的に接続される複数の分岐接続部とを備え、
低電圧用機器は分岐接続部において単相３線の電源線のうち一方の電圧側電線と中性線とにそれぞれ電気的に接続され、高電圧用機器は分岐接続部において単相３線の電源線のうち各電圧側電線にそれぞれ電気的に接続されることを特徴とする屋内配線システム。
【請求項２】
ジョイントボックスは、各分岐接続部にそれぞれ電気的に接続され信号線が接続される信号線接続部を有し、
低電圧用機器と高電圧用機器とはそれぞれ、負荷と、ジョイントボックスから負荷への給電路に挿入された制御端末器とからなり、
制御端末器は、分岐接続部において信号線と電源線とにそれぞれ電気的に接続され、信号線を介して伝送された制御信号に基づいて負荷への給電をオンオフすることを特徴とする請求項１記載の屋内配線システム。
【請求項３】
ジョイントボックスは、他のジョイントボックスと電気的に接続された電線が接続される送り配線用電線接続部を備えることを特徴とする請求項１又は請求項２記載の屋内配線システム。
【発明の詳細な説明】
【技術分野】
【０００１】
本発明は、単相３線を用いる屋内配線システムに関するものである。
【背景技術】
【０００２】
従来から、屋内に引き込まれた電源線をジョイントボックスによって分岐させる屋内配線システムが提供されている（例えば、特許文献１参照）。
【０００３】
また、近年、一般家庭においても、従来の１００Ｖ用機器に加え、電気温水器や電磁調理器など２００Ｖ用機器の利用が普及してきている。１００Ｖ用機器は単相３線の電源線のうち一方の電圧側電線と中性線との電位差によって電源を得、２００Ｖ用機器は単相３線の電源線のうち電圧側の２本の電線の間の電位差によって電源を得る。
【特許文献１】特許第３４５６１４２号公報
【発明の開示】
【発明が解決しようとする課題】
【０００４】
従来は、電気事業法に基く通商産業省令である「電気設備の技術基準の解釈」（以下、「技術基準」と呼ぶ。）により、単相３線の屋内配線が禁止されていた。
【０００５】
したがって、屋内に引き込まれた電源線をジョイントボックスによって分岐させる屋内配線システムにおいて、１００Ｖ用機器と２００Ｖ用機器とを混在させる場合、１００Ｖ，２００Ｖそれぞれについて単相２線の専用回線とジョイントボックスとを設ける必要があり、配線が複雑になっていた。
【０００６】
しかし、近年、技術基準が改正されたことにより、１００Ｖ／２００Ｖ併用の単相３線の屋内配線が可能となった。
【０００７】
本発明は上記事由に鑑みて為されたものであり、その目的は、配線の単純化が可能な屋内配線システムを提供することにある。
【課題を解決するための手段】
【０００８】
請求項１の発明は、単相３線の電源線に接続されるジョイントボックスと、それぞれジョイントボックスを介して電源線に接続される低電圧用機器と高電圧用機器とを有する屋内配線システムであって、ジョイントボックスは、単相３線の電源線が接続される電源線接続部と、それぞれ電源線接続部に電気的に接続され低電圧用機器及び高電圧用機器が択一的に接続される複数の分岐接続部とを備え、低電圧用機器は分岐接続部において単相３線の電源線のうち一方の電圧側電線と中性線とにそれぞれ電気的に接続され、高電圧用機器は分岐接続部において単相３線の電源線のうち各電圧側電線にそれぞれ電気的に接続されることを特徴とする。
【０００９】
この発明によれば、低電圧用機器と高電圧用機器とが混在する場合にも、ジョイントボックス並びに一方の電圧側電線を共用とし、配線を単純化することができる。したがって、施工や維持管理や機器の増設が容易となる。
【００１０】
請求項２の発明は、請求項１の発明において、ジョイントボックスは、各分岐接続部にそれぞれ電気的に接続され信号線が接続される信号線接続部を有し、低電圧用機器と高電圧用機器とはそれぞれ、負荷と、ジョイントボックスから負荷への給電路に挿入された制御端末器とからなり、制御端末器は、分岐接続部において信号線と電源線とにそれぞれ電気的に接続され、信号線を介して伝送された制御信号に基づいて負荷への給電をオンオフすることを特徴とする。
【００１１】
この発明によれば、制御信号による負荷のオンオフ制御が可能となる。また、制御端末器に接続する信号線をジョイントボックスを介さずに配設する場合に比べて配線の単純化が可能となる。
【００１２】
請求項３の発明は、請求項１又は請求項２の発明において、ジョイントボックスは、他のジョイントボックスと電気的に接続された電線が接続される送り配線用電線接続部を備えることを特徴とする。
【００１３】
この発明によれば、複数個のジョイントボックスを数珠繋ぎにして用い、配線を単純化することができる。
【発明の効果】
【００１４】
本発明は、単相３線の電源線に接続されるジョイントボックスと、それぞれジョイントボックスを介して電源線に接続される低電圧用機器と高電圧用機器とを有する屋内配線システムであって、単相３線の電源線が接続される電源線接続部と、それぞれ電源線接続部に電気的に接続され低電圧用機器及び高電圧用機器が択一的に接続される複数の分岐接続部とを備えるジョイントボックスと、分岐接続部において単相３線の電源線のうち一方の電圧側電線と中性線とにそれぞれ電気的に接続される低電圧用機器と、分岐接続部において単相３線の電源線のうち各電圧側電線にそれぞれ電気的に接続される高電圧用機器とを備えるので、低電圧用機器と高電圧用機器とが混在する場合にも、ジョイントボックス並びに一方の電圧側電線を共用とし、配線を単純化することができる。したがって、施工や維持管理や機器の増設が容易となる。
【発明を実施するための最良の形態】
【００１５】
以下、本発明を実施するための最良の形態について、図面を参照しながら説明する。
【００１６】
本実施形態は、図１に示すように、ジョイントボックス１を用いて単相３線の電源線Ｃを分岐させ、１００Ｖ用の負荷ＲＬを有する低電圧用機器ＳＬと、２００Ｖ用の負荷ＲＨを有する高電圧用機器ＳＨとに配線する屋内配線システムである。
【００１７】
ジョイントボックス１は、それぞれ単相３線の電源線Ｃが接続される２個の電線接続部１１，１２と、それぞれジョイントボックス１内において電源線Ｃに電気的に接続された複数個（図では４個）の分岐接続部１３とを備える。一方の電線接続部１１は電源線Ｃを介して分電盤（図示せず）に接続され、他方の電線接続部１２は電源線Ｃを介して他のジョイントボックス１に接続される。すなわち、前者の電線接続部１１が電源線接続部となり、後者の電線接続部１２が送り配線用電線接続部となる。
【００１８】
また、低電圧用機器ＳＬと高電圧用機器ＳＨとは、それぞれジョイントボックス１から負荷ＲＬ，ＲＨへの給電路に挿入されて負荷ＲＬ，ＲＨへの給電をオンオフする制御端末器２Ｌ，２Ｈを有する。さらに、ジョイントボックス１の各電線接続部１１，１２には、それぞれ信号線Ｓを接続可能としてある。つまり、電線接続部１１，１２は信号線接続部でもある。そして、各分岐接続部１３は、電線接続部１１，１２に接続された信号線Ｓに対しそれぞれジョイントボックス１内において電気的に接続されていて、制御端末器２Ｌ，２Ｈは、信号線Ｓを介して時分割多重伝送方式で伝送された制御信号に基いて負荷ＲＬ，ＲＨをオンオフ制御する。
【００１９】
具体的に説明すると、ジョイントボックス１のハウジング１０は、図２（ａ）〜（ｃ）に示すように、図２（ｃ）における上下に扁平な直方体形状の本体部１４を有する。電線接続部１１，１２は本体部１４の前後（図２（ａ）の上下）の側面に設けられ、分岐接続部１３は本体部１４の図２（ａ）における左右の側面に設けられている。
【００２０】
電線接続部１１，１２は共通する構造を有し、それぞれ、直方体形状の突起の先端面に、それぞれ電源線Ｃを構成する電線Ｃ１〜Ｃ３の１本ずつが挿入される３個の電源線挿入穴１２ａと、それぞれ信号線Ｓを構成する電線の１本ずつが挿入される２個の信号線挿入穴１２ｂとが開口してなる。ハウジング１０内において各電源線挿入穴１２ａ及び各信号線挿入穴１２ｂに臨む位置には、それぞれ周知の速結端子構造を有する端子部（図示せず）が収納されており、電源線挿入穴１２ａや信号線挿入穴１２ｂに挿入された電線は、それぞれ端子部の鎖錠ばね（図示せず）に鎖錠され、ジョイントボックス１に電気的かつ機械的に接続される。一方の電線接続部１１において電源線挿入穴又は信号線挿入穴に設けられた端子部と、他方の電線接続部１２において対応する電源線挿入穴１２ａ又は信号線挿入穴１２ｂに設けられた端子部とは、ハウジング１０内に収納された例えばリード板からなる導電部（図示せず）を介して互いに電気的に接続されている。つまり、一方の電線接続部１１において電源線挿入穴又は信号線挿入穴に挿入された電線と、他方の電線接続部１２において対応する電源線挿入穴１２ａ又は信号線挿入穴１２ｂに挿入された電線とは、ハウジング１０内の導電部を介して互いに電気的に接続される。したがって、低電圧用機器ＳＬや高電圧用機器ＳＨが多数存在する場合にも、複数個のジョイントボックス１を数珠繋ぎにして分岐の数を増やし、配線を単純化することができる。
【００２１】
また、本体部１４において電線接続部１１，１２の上側には、鎖錠ばねの鎖錠を解除するための解除釦１５を露出させる解除穴１４ａを設けてある。すなわち、電線接続部１１，１２に接続された電源線Ｃや信号線Ｓを引き抜きたいときには、解除穴１４ａからドライバのような治具を挿入して解除釦１５を押圧すれば、鎖錠ばねが解除釦１５によって押圧されて鎖錠が解除され、電源線Ｃや信号線Ｓを引き抜くことができるのである。ここで、解除釦１５及び解除穴１４ａは、１組の電源線Ｃと１組の信号線Ｓとに対して１個ずつ設けられ、解除釦１５は１組の信号線Ｓ又は１組の電源線Ｃに対応する複数個の鎖錠ばねを同時に押圧するようになっている。したがって、１組の電源線Ｃ又は１組の信号線Ｓを一括して引き抜くことができる。さらに、各電線接続部１１，１２の上面には、それぞれ接続される電線の種別（電源又は信号）と、送り配線用か否かとを示す表示１１ｃ，１２ｃを設けてある。
【００２２】
また、図３に示すように、各分岐接続部１３はそれぞれ直方体形状であって、先端面にそれぞれ電源用の栓刃が挿入される３個の電源用栓刃挿入穴１３ａと、それぞれ信号用の栓刃が挿入される２個の信号用栓刃挿入穴１３ｂとが開口している。ハウジング１０内において各栓刃挿入穴１３ａ，１３ｂに臨む位置には、それぞれ導電材料からなり栓刃挿入穴１３ａ，１３ｂから挿入された栓刃を弾性的に挟持する刃受ばね（図示せず）を設けてある。各刃受ばねは、電源線Ｃを構成する電線Ｃ１〜Ｃ３又は信号線Ｓを構成する電線と一対一に対応しており、電源線挿入穴１２ａや信号線挿入穴１２ｂに挿入された電線のうち対応する電線に対し、ジョイントボックス１内の導電部を介して電気的に接続される。
【００２３】
さらに、本体部１４の上面には、ジョイントボックス１内部における電気的接続の状況を示す表示１４ｂを設けてある。
【００２４】
また、制御端末器２Ｌ，２Ｈは、図４（ａ）〜（ｅ）に示すように分岐接続部１３が挿入される凹部２０ａが設けられた直方体形状のハウジング２０を有する。凹部２０ａの底面には、図５に示すようにそれぞれ導電材料からなる電源用栓刃２１ａ〜２１ｃと信号用栓刃２２とを突出させてある。
【００２５】
ところで、分岐接続部１３の上面には、分岐接続部１３の突出方向に長い逆差し防止溝１３ｃを設けてある。そして、制御端末器２Ｌ，２Ｈの凹部２０の内面には、分岐接続部１３の逆差し防止溝１３ｃに対応する逆差し防止突起２０ｂを設けてあり、逆差し防止突起２０ｂが逆差し防止溝１３ｃに挿入される正しい向きでなければ凹部２０ａに分岐接続部１３を挿入することができないようになっている。
【００２６】
凹部２０ａに正しい向きで分岐接続部１３を挿入すると、電源用栓刃挿入穴１３ａのうちの２個にそれぞれ電源用栓刃２１ａ〜２１ｃが挿入され、各信号用栓刃挿入穴１３ｂにそれぞれ信号用栓刃２２が挿入される。さらに、分岐接続部１３の上面において逆差し防止溝１３ｃのうち電源用栓刃挿入穴１３ａの上側に設けられた２本に挟まれた位置には係合凹部１３ｄを設けてあり、制御端末器２Ｌ，２Ｈの凹部２０ａ内には、凹部２０ａの内側に弾性的に突出する係合突起（図示せず）を設けてある。そして、凹部２０ａの奥まで分岐接続部１３が挿入されると、係合突起が分岐接続部１３の係合凹部１３ｄに係合することにより、分岐接続部１３からの制御端末器２Ｌ，２Ｈの脱落が防止される。ここで、制御端末器２Ｌ，２Ｈには、係合突起に連動した取外釦２３を設けてある。そして、制御端末器２Ｌ，２Ｈを分岐接続部１３から取り外す際には、取外釦２３を操作すると、係合突起の係合凹部１３ｄに対する係合が解除され、分岐接続部１３を凹部２０ａから引き抜くことができるようになっている。
【００２７】
ここで、低電圧用（１００Ｖ用）の制御端末器２Ｌと高電圧用（２００Ｖ用）の制御端末器２Ｈとは、低電圧用の制御端末器２Ｌが図４（ｄ）に示すように電圧側の一方の刃受ばねに対応する電源用栓刃２１ａと中性極の刃受ばねに対応する電源用栓刃２１ｂとを有するのに対し、高電圧用の制御端末器２Ｈは図４（ｅ）に示すようにそれぞれ電圧側極の２本の電源用栓刃２１ａ，２１ｃを有するという点のみ異なり、その他の点では共通している。このため、高電圧用の制御端末器２Ｈについては図４（ａ）〜（ｃ）に対応する図を省略している。また、図５では、各電源用栓刃２１ａ〜２１ｃの位置を示すために全ての電源用栓刃２１ａ〜２１ｃを描いているが、実際には、低電圧用の制御端末器２Ｌは電圧側の一方の電源用栓刃２１ｃを有さず、高電圧用の制御端末器２Ｈは中性極の電源用栓刃２１ｂを有さない。
【００２８】
さらに、制御端末器２Ｌ，２Ｈにおいて、凹部２０が設けられた面の反対面（図４（ａ）の下面）には、負荷ＲＬ，ＲＨに接続される電線が挿入される２個の電線挿入穴２０ｃを設けてある。制御端末器２Ｌ，２Ｈのハウジング２０内において、各電源線挿入穴２０ｃに臨む位置にはそれぞれ周知の速結端子構造を有する端子部（図示せず）が収納されており、各電源線挿入穴２０ｃに挿入された電線は、それぞれ端子部が有する鎖錠ばね（図示せず）に鎖錠されることによって制御端末器２Ｌ，２Ｈに電気的かつ機械的に接続される。
【００２９】
そして、各端子部は、それぞれ電源用栓刃２１ａ〜２１ｃに対して一対一に電気的に接続されている。また、端子部と電源用栓刃２１ａ〜２１ｃとの間の導電路のうち少なくとも一方には、例えばリレーのようなスイッチ手段（図示せず）が挿入されており、負荷ＲＬ，ＲＨへの給電はスイッチ手段によってオンオフされる。また、ハウジング２０内には、信号線Ｓから信号用栓刃２２を介して入力された制御信号に応じてスイッチ手段を駆動する制御回路が実装された回路基板（図示せず）が収納されている。つまり、信号線Ｓを介して伝送される制御信号により、負荷ＲＬ，ＲＨへの給電をオンオフすることができる。なお、スイッチ手段及び制御回路については、周知の技術によって実現可能であるから、詳細な説明は省略する。
【００３０】
また、制御端末器２Ｌ，２Ｈのハウジング２０内には、端子部の鎖錠ばねを押圧して鎖錠を解除する解除釦２４が収納され、ハウジング２０には、解除釦２４を露出させる解除穴２０ｄを設けてある。すなわち、電線挿入穴２０ｃに接続された電線を引き抜きたいときには、解除穴２０ｄからドライバのような治具を挿入して解除釦２４を押圧すれば、解除釦２４によって鎖錠ばねが押圧されて鎖錠が解除され、電線を引き抜くことができる。ここで、解除釦２４は２個の鎖錠ばねを同時に押圧するようになっている。したがって、１組の電線を一括して引き抜くことができる。
【００３１】
上記構成によれば、単相３線の電源線Ｃが接続されたジョイントボックス１において、接続される刃受ばねを低電圧用の制御端末器２Ｌと高電圧用の制御端末器２Ｈとで異ならせることにより、低電圧用機器ＳＬと高電圧用機器ＳＨとで供給する電圧を差別化しているので、低電圧用機器ＳＬと高電圧用機器ＳＨとで一方の電圧側電線Ｃ１及びジョイントボックス１の共用が可能となるから、低電圧用機器ＳＬの電源線と高電圧用機器ＳＨの電源線とを別途に配設する場合に比べて配線の単純化が可能となる。
【００３２】
なお、信号線Ｓをジョイントボックス１を介して制御端末器２Ｌ，２Ｈに接続する代わりに、図６に示すように、各制御端末器２Ｌ，２Ｈに、それぞれ２線式の信号線Ｓが接続される例えばねじ端子のような外部端子２ａを設けてもよいが、本実施形態の構成をとった方が、次の利点を有するため望ましい。すなわち、信号線Ｓをもジョイントボックス１において分岐させるから配線の単純化が可能となる。また、信号線Ｓの送り配線がジョイントボックス１において可能となる。さらに、ジョイントボックス１において電源線Ｃが接続される部位と信号線Ｓが接続される部位とを互いに近接させたことにより、電源線Ｃと信号線Ｓとを結束することによる配線の単純化が容易となる。
【００３３】
また、制御端末器２Ｌ，２Ｈをジョイントボックス１に一体化することもできるが、本実施形態のように別体に形成したほうが、制御端末器２Ｌ，２Ｈが故障した際に制御端末器２Ｌ，２Ｈのみを交換することができることにより、維持コストの低減が可能となるので望ましい。
【図面の簡単な説明】
【００３４】
【図１】本発明の実施形態を示す説明図である。
【図２】同上のジョイントボックスを示す図であり、（ａ）は平面図、（ｂ）は左側面図、（ｃ）は正面図である。
【図３】同上の分岐接続部を示す斜視図である。
【図４】同上の制御端末器を示す図であり、（ａ）は平面図、（ｂ）は右側面図、（ｃ）は正面図、（ｄ）は１００Ｖ用である場合の背面図、（ｅ）は２００Ｖ用である場合の背面図である。
【図５】同上の制御端末器の要部を示す斜視図である。
【図６】同上の別の形態を示す説明図である。
【符号の説明】
【００３５】
１  ジョイントボックス
２Ｌ，２Ｈ  制御端末器
１１  電線接続部
１２  送り配線用電線接続部
１３  分岐接続部
Ｃ  電源線
Ｓ  信号線
ＳＬ  低電圧用機器
ＳＨ  高電圧用機器
Ｃ１，Ｃ３  電圧側電線
Ｃ２  中性線
【図１】
2006129565.tif 000003
【図２】
2006129565.tif 000004
【図３】
2006129565.tif 000005
【図４】
2006129565.tif 000006
【図５】
2006129565.tif 000007
【図６】
2006129565.tif 000008